(57)【特許請求の範囲】
【請求項１】
充電電池と該充電電池に電力を供給する２次コイルと整流器等を内蔵した電気機器と、交流電源に接続される１次コイルを内蔵し該電気機器を支持する支持部を備える充電台とからなり、該電気機器を該充電台に係合した時に２次コイルと１次コイルが電磁誘導作用によって該充電電池を充電する電気機器に用いられる無接点型充電装置において、
該支持部は該電気機器の胴部を囲うように設け、該支持部に巻線された１次コイルと、該電気機器の長手方向を軸とした胴部に巻線された２次コイルを備え、該１次コイルの巻線幅面と該２次コイルの巻線幅面とが対面するように配置し、かつ該電気機器の整流器を含む他の電気回路を形成する回路基板を２次コイルの略中心に巻線軸と平行に設けることを特徴とする無接点型充電装置。
【請求項２】
前記１次コイルおよび２次コイルに予め絶縁された銅線を巻回し、巻線されたコイルを絶縁材料で固着した空芯コイルを用いたことを特徴とする請求項１記載の無接点型充電装置。
【発明の詳細な説明】
【０００１】
【発明の属する技術分野】
本発明は、充電式電気機器の電源として内蔵された充電電池（二次電池）の充電装置に関する。詳しくは、充電電池を含む被充電部（充電式電気機器）と充電台とが接続端子を持たず、電磁誘導によって無接点で充電電池に電力供給を行なう無接点型充電装置に関する。
【発明の属する技術分野】
【０００２】
【従来の技術】
近年、電池を電源とする電子機器、特に、繰り返し充電が行なえる充電電池（二次電池）を用いた、電動歯ブラシ、携帯電話、コードレス電話機等の充電式電気機器（以後、電気機器と称する）の用途が広がりつつある。そして、その充電電池を充電するのに、一般的には有接点型の充電装置が用いられているが、接点端子の表面酸化や腐食が発生して接点不良となる恐れがある。
一方、無接点型の充電装置においては、接点端子が表面に露出してないことから、接点端子の表面酸化や腐食による接点不良を防止できることや、接点端子に人が直接触れることがない等、安全であることから用途が広がりつつある。
【０００３】
図５に、従来の無接点型充電装置の部分断面図を示す。
図５に示すように、２０は電気機器、２２は電気機器の被充電側の２次コイル、２０ａは電気機器の底面部、２５は充電台、２６は充電側の１次コイル、２５ａは電気機器の底面２０ａを受ける受け部である。
電気機器２０には、電気機器としての機能を持つ電子回路を持ち、その電子回路の電源として繰り返し充電できる充電電池とその充電用回路が設けられている（図示省略）。
電気機器２０の底面部２０ａの内部は、充電電池を充電するための２次コイル２２が絶縁性の基板２１に設けてある。また充電電池を充電する回路および他の電気回路を形成する回路基板は２次コイルの基板２２から離して設けてある。
充電台２５は、電気機器を支持する受け部２５ａの内部に電気機器の２次コイル２１の巻線面と対面するように１次コイル２６が設けられている。
【０００４】
図６は、充電台の受け部２５ａと１次コイル２６を拡大した断面図である。１次コイル２６はＴ字型コア２７に巻線２８が巻線されており、充電台の受け部２５ａの内側に設置されている。
このような無接点型充電装置において、充電台の受け部２５ａの上面にペーパクリップやコイン等の金属片３０が置かれると、１次コイル２６で発生する磁束φが、金属片３０に対し直角に鎖交するため、金属片にショート電流（うず電流）が流れて発熱する。
この対策として、図７に示すように、充電台３０の受け部３０ａ（１次コイル２６も含む）を傾斜させて、金属片３０が滑り落ちるようにする方法があるが、多くの金属片が重なると発熱が避けられないために、適用はパワーの小さい充電装置に限定されている。
【０００５】
【発明が解決しようとする課題】
上記の無接点型充電装置においては、図６で示したように、充電台に電気機器が載置されてない状態において、ペーパクリップやコイン等の金属片が充電台の受け部に載ると、金属片が電磁誘導加熱により異常発熱し、これに触れて火傷をしたり、充電台を構成する樹脂製の筐体が熱溶解したりするという問題があった。また、電気機器の充電電池を充電する回路および他の電気回路を形成する回路基板は上記の電磁誘導作用による発熱を避けるために、２次コイルから離して設置する。そのために小型化が損なわれることがあった。
【０００６】
本発明は、上記の問題点に鑑み、電磁誘導により無接点で電気機器の充電電池に充電する装置において、金属片等が介在して電磁誘導加熱により異常発熱するのを防止して安全性を高めることができ、また、内部回路の損失を削減し、構造が簡単で小型化が可能な無接点充電装置を提供することを目的とする。
【０００７】
【課題を解決するための手段】
本発明は、充電電池とその充電電池に電力を供給する２次コイルと整流器等を内蔵した電気機器と、交流電源に接続される１次コイルを内蔵し電気機器を支持する支持部を備える充電台とからなり、電気機器を充電台に係合した時に２次コイルと１次コイルが電磁誘導作用によって充電電池を充電するようにした電気機器に用いられる無接点型充電装置において、充電台の支持部は電気機器の胴部を囲うように設け、支持部に巻線された１次コイルと、電気機器の長手方向を軸とした胴部に巻線された２次コイルを備え、１次コイルの巻線幅面と２次コイルの巻線幅面とが対面するように配置し、かつ電気機器の整流器を含む他の電気回路を形成する回路基板を２次コイルの略中心に巻線軸と平行に設けることを特徴とする。
【０００８】
【発明の実施の形態】
本発明の無接点型充電装置は、充電電池とその充電電池に電力を供給する２次コイルと整流器等を内蔵した電気機器と、交流電源に接続される１次コイルを内蔵し、電気機器を支持する支持部を備える充電台とからなり、電気機器を充電台に係合した時に２次コイルと１次コイルが電磁誘導作用によって充電電池を充電する。そして、充電台の支持部は電気機器の胴部を囲うように設け、その支持部に１次コイルを巻線する。２次コイルは電気機器の長手方向を軸とした胴部に巻線する。１次コイルの巻線内周面と２次コイルの巻線外周面とが対面するように配置し、かつ電気機器の整流器を含む他の電気回路を形成する回路基板を２次コイルのほぼ中心に巻線軸と平行に設ける。
【０００９】
【実施例】
以下、本発明に係る無接点型充電装置の一実施例を図１乃至図４に従って説明する。
【００１０】
図１は本発明に係る無接点型充電装置の一実施例を示す斜視図である。図２は図１の無接点型充電装置の１次コイル部と２次コイル部の部分断面図である。
図１、図２で示すように、被充電部である電気機器１は、予め絶縁された銅線を巻回し、巻線されたコイルを絶縁材料で固着した空芯コイルを用いた２次コイル２と、整流器を含む他の電気回路（図示せず）を形成する回路基板３を有するものである。
充電台５は、電気機器１の胴部の外周を支持する支持部６と、支持部内周側の内部に設けた１次コイル７と、電気機器の底面部を受ける受け部８を備えている。
【００１１】
充電台５は、電気機器１の胴部の外周を支持する支持部６と、電気機器１の底面を受ける凹んだ受け部８を設け、支持部６の内側内周部６ａに巻線を施した１次コイル７を設けてある。
電気機器１は、整流器を含む他の電気回路を形成する回路基板３を設け、電気機器１の胴部の内部１ａに２次コイル２を接着剤等で固定する。
電気機器１に設けた２次コイル２と充電台５の支持部６に設けた１次コイル７は、互いに巻線幅面が対面する位置とし、充電台５の受け部８より高く、かつ電気機器１の底面より高い位置に設けてある。そして、電気機器１の回路基板３は２次コイル２のほぼ中心に巻線軸と平行に設ける。
【００１２】
図３は、１次コイルと２次コイルの位置関係と磁束の分布を模型的に示した図である。図より、１次コイル７と２次コイル２は巻線内を空芯とする空芯コイルである。この場合、１次コイル７で作られた磁束φ１は１次コイル７の巻線の断面の中心を基準にして外に向かって弱くなることから、２次コイル２は１次コイル７の巻幅とほぼ同じとし、１次コイル７と２次コイル２の対面する巻幅面を近づけることが望ましい。そして、電気機器１の回路基板３は２次コイルのほぼ中心に、巻線軸と平行に長手方向を軸として設けることが望ましい。
【００１３】
このような配置とすることにより、回路基板３は、回路基板の配線パターンが１次コイルの磁束と同じ方向となるために鎖交することなく、電磁誘導作用による発熱を回避することができ、電気機器１内部にまとめて収納することができる。そして、コイン等の金属片は充電台５の支持部６に留まることなく滑り落ちるので、電磁誘導作用による発熱等の起こらない安全な無接点型充電装置とすることできる。
【００１４】
次に、本発明の変形した実施例を図４に示す。
図４は、電気機器を横に載置した電気機器用の無接点充電装置の斜視図である。図のように、被充電部である電気機器１１は、胴部の一部に予め絶縁された銅線を巻回し、巻線されたコイルを絶縁材料で固着した空芯コイルである２次コイル１２と、整流器を含む他の電気回路を形成する回路基板１３とが設けてある。
充電台１５は、電気機器１１の胴部を囲む支持部１６、支持部内周の内部に設けた１次コイル１７、電気機器の底面部を受ける受け部１８と一端部を受けるストッパー１９、を設けた構成である。
【００１５】
充電台１５は、電気機器１１の胴部を囲む支持部１６と電気機器１１の底面を受ける傾斜のある凹んだ受け部１８と一端部を受止めるストッパー１９を設け、支持部１６の内側内周部に巻線を施した１次コイル１７を設ける。
電気機器１１は、整流器を含む他の電気回路を形成する回路基板１３を設け、電気機器１１の胴部の一部に２次コイル１２を接着剤等で固定する。電気機器１１の２次コイル１２と充電台１５の支持部１６に設けた１次コイル１７は、互いに巻線幅面が対面する位置とし、充電台１５のストッパー１９より中央寄りで、かつ電気機器１１の中央部付近に配置して設けてある。そして、電気機器１１の回路基板１３は２次コイル１２のほぼ中心に巻線軸と平行に設ける。
【００１６】
このような配置とすることにより、回路基板１３は、回路基板の配線パターンが１次コイルの磁束と同じ方向となるために磁路と鎖交することなく、電磁誘導作用による発熱を回避することができ、電気機器１内部にまとめて収納することができる。そして、コイン等の金属片もまた１次コイルの磁束と同じ方向となるために、電磁誘導加熱による発熱等の起こらない安全な無接点型充電装置とすることができる。
以上、本発明の無接点型充電装置について述べたが、本発明はこれらの実施例に限られるものではない。例えば、本発明の実施例では、１次コイルは充電台の支持部に巻線したが、予め絶縁された銅線を巻回し、巻線されたコイルを絶縁材料で固着した空芯コイルを用いてもよい。
【００１７】
【発明の効果】
以上から明らかなように、本発明の無接点型充電装置は、電気機器の胴部を囲う支持部に巻線された１次コイルと、電気機器の長手方向を軸とした胴部に巻線された２次コイルからなり、１次コイルの巻線幅面と２次コイルの巻線幅面とを対面するように配置し、かつ電気機器の整流器を含む他の電気回路を形成する回路基板を２次コイルの略中心に巻線軸と平行に設ける。これにより、電気機器の回路基板の配線パターンが１次コイルの磁束と同じ方向となるために、磁束が鎖交することなく、電磁誘導作用による発熱を回避することができ、内部回路の損失を削減し、電気機器内部にまとめて収納することができる。そして、コイン等の金属片は充電台の支持部に留まることなく滑り落ちて、電磁誘導加熱による発熱の起こらない安全な無接点型充電装置とすることできる。さらにまた、電気機器に、特別な回路等を設けてないため、小型化、軽量化に適した電気機器用の無接点型充電装置を提供することができる。
【図面の簡単な説明】
【図１】本発明の無接点型充電装置の一実施例の斜視図
【図２】図１の一実施例の部分断面図
【図３】図２の部分断面図における磁束分布の模式図
【図４】本発明の無接点型充電装置の他の変形実施例の斜視図
【図５】従来の無接点型充電装置の部分断面図
【図６】図５の充電台と金属片における磁束分布の模式図
【図７】従来の無接点型充電装置の充電台を斜めにした断面図
【符号の説明】
１  電気機器
２  ２次コイル
３  回路基板
５  充電台
６  支持部
７  １次コイル
【図１】
0003766295.tif 000002
【図２】
0003766295.tif 000003
【図３】
0003766295.tif 000004
【図４】
0003766295.tif 000005
【図５】
0003766295.tif 000006
【図６】
0003766295.tif 000007
【図７】
0003766295.tif 000008